(57)【要約】【課題】端末装置において簡易的な操作画面が使用されている場合に、情報処理装置においても簡易的な操作画面を使用できるようにする。【解決手段】画像形成装置１２は、端末装置１０の機種を識別するための機種識別情報、又は、端末装置１０の画面の表示設定に関する設定情報、を含む制御情報を取得し、その制御情報に含まれる機種識別情報が特定の機種を示す場合、又は、その制御情報に含まれる設定情報が特定の設定内容を示す場合、通常画面よりも表示項目が少ない画面を表示部に表示させる。【選択図】図１
2018012280.tif 000002
【特許請求の範囲】
【請求項１】
端末装置の機種を識別するための機種識別情報、又は、前記端末装置の画面の表示設定に関する設定情報、を含む制御情報を前記端末装置から取得する取得手段と、
前記制御情報に含まれる前記機種識別情報が特定の機種を示す場合、又は、前記制御情報に含まれる前記設定情報が特定の設定内容を示す場合、通常画面よりも表示項目が少ない画面を表示手段に表示させる制御手段と、
を有する情報処理装置。
【請求項２】
前記取得手段は、前記端末装置の画面に表示されている表示項目の文字サイズを示す情報を含む前記制御情報を取得し、
前記制御手段は、前記制御情報が示す文字サイズを、前記表示手段に表示される表示項目の文字サイズに更に反映する、
ことを特徴とする請求項１に記載の情報処理装置。
【請求項３】
前記取得手段は、前記端末装置におけるテキスト読み上げ機能の設定に関する情報を含む前記制御情報を取得し、
前記制御手段は、前記テキスト読み上げ機能の設定に関する情報に従って、当該情報処理装置における前記テキスト読み上げ機能を更に制御する、
ことを特徴とする請求項１又は請求項２に記載の情報処理装置。
【請求項４】
前記取得手段は、前記端末装置の画面に対する接触操作の検出感度設定に関する情報を含む前記制御情報を取得し、
前記制御手段は、前記制御情報が示す前記検出感度設定を、前記表示手段に表示されている画面に対する接触操作に更に反映させる、
ことを特徴とする請求項１から請求項３のいずれか一項に記載の情報処理装置。
【請求項５】
前記取得手段は、前記端末装置において起動している画面に関するアプリケーションを示す情報を含む前記制御情報を取得し、
前記アプリケーションが特定のアプリケーションに該当する場合、前記制御手段は、前記通常画面よりも表示項目が少ない画面を前記表示手段に表示させる、
ことを特徴とする請求項１から請求項４のいずれか一項に記載の情報処理装置。
【請求項６】
前記取得手段は、前記端末装置の画面に表示されている項目の数に関する情報を含む前記制御情報を取得し、
前記項目の数が基準項目数未満であり、かつ、前記項目の数と前記基準項目数との差が予め設定された閾値以上となる場合、前記制御手段は、前記通常画面よりも表示項目が少ない画面を前記表示手段に表示させる、
ことを特徴とする請求項１から請求項４のいずれか一項に記載の情報処理装置。
【請求項７】
コンピュータを、
端末装置の機種を識別するための機種識別情報、又は、前記端末装置の画面の表示設定に関する設定情報、を含む制御情報を前記端末装置から取得する取得手段、
前記制御情報に含まれる前記機種識別情報が特定の機種を示す場合、又は、前記制御情報に含まれる前記設定情報が特定の設定内容を示す場合、通常画面よりも表示項目が少ない画面を表示手段に表示させる制御手段、
として機能させるプログラム。
【発明の詳細な説明】
【技術分野】
【０００１】
本発明は、情報処理装置及びプログラムに関する。
【背景技術】
【０００２】
端末装置に簡易的な操作画面が表示される場合がある。簡易的な操作画面は、例えば、表示項目が通常の操作画面よりも少ない画面や、表示される文字の大きさが通常の操作画面よりも大きい画面、等である。
【０００３】
特許文献１には、携帯端末から色覚情報を取得し、印刷データの配色等を変更する装置が開示されている。
【先行技術文献】
【特許文献】
【０００４】
【特許文献１】特開２０１４−７８０７６号公報
【発明の概要】
【発明が解決しようとする課題】
【０００５】
ところで、端末装置において簡易的な操作画面が使用されている場合であっても、端末装置以外の情報処理装置に通常の操作画面が表示されている場合、その情報処理装置を使用するときには、その端末装置のユーザは、通常の操作画面に対する操作を強いられることになる。
【０００６】
本発明の目的は、端末装置において簡易的な操作画面が使用されている場合に、情報処理装置においても簡易的な操作画面を使用できるようにすることにある。
【課題を解決するための手段】
【０００７】
請求項１に係る発明は、端末装置の機種を識別するための機種識別情報、又は、前記端末装置の画面の表示設定に関する設定情報、を含む制御情報を前記端末装置から取得する取得手段と、前記制御情報に含まれる前記機種識別情報が特定の機種を示す場合、又は、前記制御情報に含まれる前記設定情報が特定の設定内容を示す場合、通常画面よりも表示項目が少ない画面を表示手段に表示させる制御手段と、を有する情報処理装置である。
【０００８】
請求項２に係る発明は、前記取得手段は、前記端末装置の画面に表示されている表示項目の文字サイズを示す情報を含む前記制御情報を取得し、前記制御手段は、前記制御情報が示す文字サイズを、前記表示手段に表示される表示項目の文字サイズに更に反映する、ことを特徴とする請求項１に記載の情報処理装置である。
【０００９】
請求項３に係る発明は、前記取得手段は、前記端末装置におけるテキスト読み上げ機能の設定に関する情報を含む前記制御情報を取得し、前記制御手段は、前記テキスト読み上げ機能の設定に関する情報に従って、当該情報処理装置における前記テキスト読み上げ機能を更に制御する、ことを特徴とする請求項１又は請求項２に記載の情報処理装置である。
【００１０】
請求項４に係る発明は、前記取得手段は、前記端末装置の画面に対する接触操作の検出感度設定に関する情報を含む前記制御情報を取得し、前記制御手段は、前記制御情報が示す前記検出感度設定を、前記表示手段に表示されている画面に対する接触操作に更に反映させる、ことを特徴とする請求項１から請求項３のいずれか一項に記載の情報処理装置である。
【００１１】
請求項５に係る発明は、前記取得手段は、前記端末装置において起動している画面に関するアプリケーションを示す情報を含む前記制御情報を取得し、前記アプリケーションが特定のアプリケーションに該当する場合、前記制御手段は、前記通常画面よりも表示項目が少ない画面を前記表示手段に表示させる、ことを特徴とする請求項１から請求項４のいずれか一項に記載の情報処理装置である。
【００１２】
請求項６に係る発明は、前記取得手段は、前記端末装置の画面に表示されている項目の数に関する情報を含む前記制御情報を取得し、前記項目の数が基準項目数未満であり、かつ、前記項目の数と前記基準項目数との差が予め設定された閾値以上となる場合、前記制御手段は、前記通常画面よりも表示項目が少ない画面を前記表示手段に表示させる、ことを特徴とする請求項１から請求項４のいずれか一項に記載の情報処理装置である。
【００１３】
請求項７に係る発明は、コンピュータを、端末装置の機種を識別するための機種識別情報、又は、前記端末装置の画面の表示設定に関する設定情報、を含む制御情報を前記端末装置から取得する取得手段、前記制御情報に含まれる前記機種識別情報が特定の機種を示す場合、又は、前記制御情報に含まれる前記設定情報が特定の設定内容を示す場合、通常画面よりも表示項目が少ない画面を表示手段に表示させる制御手段、として機能させるプログラムである。
【発明の効果】
【００１４】
請求項１，７に係る発明によると、端末装置において簡易的な操作画面が使用されている場合に、情報処理装置においても簡易的な操作画面を使用することが可能となる。
【００１５】
請求項２に係る発明によると、情報処理装置において、端末装置の画面に表示されている表示項目の文字サイズが反映された操作画面を使用することが可能となる。
【００１６】
請求項３に係る発明によると、情報処理装置において、端末装置におけるテキスト読み上げ機能の設定が反映された操作画面を使用することが可能となる。
【００１７】
請求項４に係る発明によると、情報処理装置において、端末装置の画面に対する接触操作の検出感度設定が反映された操作画面を使用することが可能となる。
【００１８】
請求項５に係る発明によると、情報処理装置において、端末装置にて起動しているアプリケーションに応じた操作画面を使用することが可能となる。
【００１９】
請求項６に係る発明によると、情報処理装置において、端末装置に表示されている項目の数が反映された操作画面を使用することが可能となる。
【図面の簡単な説明】
【００２０】
【図１】本発明の第１実施形態に係る画像形成システムを示すブロック図である。
【図２】第１実施形態に係る端末装置を示すブロック図である。
【図３】第１実施形態に係る画像形成装置を示すブロック図である。
【図４】端末装置に表示される通常版操作画面の一例を示す図である。
【図５】端末装置に表示される簡易版操作画面の一例を示す図である。
【図６】画像形成装置に表示される通常版操作画面の一例を示す図である。
【図７】画像形成装置に表示される簡易版操作画面の一例を示す図である。
【図８】第１実施形態に係る端末装置の動作を示すフローチャートである。
【図９】第１実施形態に係る画像形成装置の動作を示すフローチャートである。
【図１０】第２実施形態に係る端末装置を示すブロック図である。
【図１１】第２実施形態に係る画像形成装置を示すブロック図である。
【図１２】第２実施形態に係る端末装置の動作を示すフローチャートである。
【図１３】第２実施形態に係る画像形成装置の動作を示すフローチャートである。
【発明を実施するための形態】
【００２１】
［第１実施形態］
図１を参照して、本発明の第１実施形態に係る情報処理システムとしての画像形成システムについて説明する。図１には、第１実施形態に係る画像形成システムの一例が示されている。この画像形成システムは、端末装置１０と情報処理装置としての画像形成装置１２とを含む。端末装置１０と画像形成装置１２は、通信経路Ｎを介して互いに通信する機能を備えている。図１に示す例では、１つ端末装置１０と１つの画像形成装置１２が画像形成システムに含まれているが、複数の端末装置１０が画像形成システムに含まれていてもよいし、複数の画像形成装置１２が画像形成システムに含まれていてもよい。もちろん、他の装置が画像形成システムに含まれていてもよい。
【００２２】
端末装置１０は、例えば、スマートフォン、携帯電話、タブレットＰＣ（パーソナルコンピュータ）、等の携帯型端末装置であり、他の装置との間でデータを送受信する機能を備えている。もちろん、端末装置１０は携帯型ではないＰＣであってもよい。端末装置１０は、例えば、ＮＦＣ（Near Field Communication）やブルートゥース（Bluetooth）（登録商標）等の近距離無線通信機能を備えている。ＮＦＣとして、例えば、非接触型ＩＣカードを用いた無線通信が利用されてもよい。もちろん、端末装置１０は、Ｗｉ−Ｆｉ（登録商標）通信等の無線通信機能や有線通信機能を備えていてもよい。また、端末装置１０は、インターネットやＬＡＮ（Local Area Network）等のネットワークを介してデータを送受信する機能を備えていてもよい。
【００２３】
画像形成装置１２は画像形成機能を備えている装置である。画像形成装置１２は、例えば、スキャン機能、プリント機能、コピー機能及びファクシミリ機能の中の少なくとも１つの機能を備えている。また、画像形成装置１２は、他の装置との間でデータを送受信する機能を備えている。画像形成装置１２は、例えば、ＮＦＣやブルートゥース等の近距離無線通信機能を備えている。もちろん、画像形成装置１２は、Ｗｉ−Ｆｉ通信等の無線通信機能や有線通信機能を備えていてもよい。また、画像形成装置１２は、インターネットやＬＡＮ等のネットワークを介してデータを送受信する機能を備えていてもよい。
【００２４】
通信経路Ｎは、例えば、近距離無線通信機能によって実現される通信経路である。もちろん、インターネットやＬＡＮ等のネットワークによって実現される通信経路によって、端末装置１０と画像形成装置１２が通信を行ってもよい。
【００２５】
第１実施形態に係る画像形成システムにおいては、端末装置１０から画像形成装置１２に、端末装置１０の操作性の種別を示す情報、又は、端末装置１０の機種を示す情報、を含む制御情報が送信される。その制御情報に応じて、画像形成装置１２に表示される画面が変更される。
【００２６】
以下、図２を参照して、端末装置１０の構成について詳しく説明する。図２には、第１実施形態に係る端末装置１０の構成が示されている。
【００２７】
通信部１４は通信インターフェースであり、他の装置にデータを送信する機能、及び、他の装置からデータを受信する機能を備えている。通信部１４は、例えば、近距離無線通信機能を備えている。例えば、近距離無線通信用のアプリケーションが端末装置１０にインストールされて記憶部１８に記憶されており、そのアプリケーションが実行されることにより、近距離無線通信が実行される。もちろん、通信部１４は、Ｗｉ−Ｆｉ通信等の無線通信機能や有線通信機能を備えていてもよい。また、通信部１４は、インターネットやＬＡＮ等のネットワークを介してデータを送受信する機能を備えていてもよい。
【００２８】
ＵＩ部１６やユーザインターフェース部であり、表示部と操作部を含む。表示部は、例えば液晶ディスプレイ等の表示装置である。操作部は、例えば、タッチパネルやキーボード等の入力装置である。もちろん、ＵＩ部１６は、表示部と操作部の両方の機能を兼ね備えたユーザインターフェース（例えば、タッチパネルとしてのディスプレイや、電子的にキーボード等を表示するディスプレイ等）であってもよい。
【００２９】
記憶部１８はハードディスクやメモリ等の記憶装置であり、例えば、各種のプログラムや各種のデータ等を記憶する。もちろん、それらは別々の記憶装置に記憶されてもよいし、同一の記憶装置に記憶されてもよい。また、記憶部１８には、機種識別情報２０とホームアプリケーション２２が記憶されている。
【００３０】
機種識別情報２０は、端末装置１０の機種を識別するための情報であり、例えば、機種名、型番、等である。
【００３１】
ホームアプリケーション２２は、ホーム操作画面をＵＩ部１６に表示させるアプリケーション（プログラム）である。端末装置１０に表示されるホーム操作画面は、例えば、最上位のメニュー画面（メインメニュー画面）である。もちろん、ホーム操作画面は、最上位以外のメニュー画面や設定画面等であってもよい。例えば、ホーム操作画面は、画像形成機能を選択するためのメニュー画面や、プリントの条件を設定するためのプリント設定画面、等であってもよい。例えば、通常のホーム操作画面（通常版操作画面（通常版ＵＩ画面））、又は、簡易的なホーム操作画面（簡易版操作画面（簡易版ＵＩ画面））が、ホーム操作画面としてＵＩ部１６に表示される。ホーム操作画面には、例えば、特定のアプリケーションの実行を指示するための表示項目（例えばアイコン等）、特定の操作を行うための表示項目、特定の設定を行うための表示項目、等が表示される。
【００３２】
簡易版操作画面は、通常版操作画面よりも表示される表示項目が少ない画面である。簡易版操作画面においては、通常版操作画面よりも表示項目の表示サイズが大きくてもよいし、文字サイズが大きくてもよい。
【００３３】
記憶部１８には、通常版操作画面用のホームアプリケーション２２、及び、簡易版操作画面用のホームアプリケーション２２のうちの少なくとも１つのホームアプリケーション２２が記憶されている。つまり、通常版操作画面用のホームアプリケーション２２又は簡易版操作画面用のホームアプリケーション２２のいずれか一方が記憶部１８に記憶されていてもよいし、通常版操作画面用のホームアプリケーション２２と簡易版操作画面用のホームアプリケーション２２の両方が記憶部１８に記憶されていてもよい。通常版操作画面用のホームアプリケーション２２は、端末装置１０に予めインストールされて記憶部１８に予め記憶されている。ホームアプリケーション２２は、端末装置１０に予めインストールされて記憶部１８に予め記憶されていてもよいし、ダウンロード等によって後から端末装置１０にインストールされて記憶部１８に記憶されてもよい。例えば、ユーザによる指示に応じて、簡易版操作画面用のホームアプリケーション２２がダウンロードされて端末装置１０にインストールされてもよい。もちろん、簡易版操作画面用のホームアプリケーション２２が、端末装置１０に予めインストールされており、通常版操作画面用のホームアプリケーション２２が、後から端末装置１０にインストールされてもよい。
【００３４】
ホームアプリケーション２２が実行（起動）されることにより、通常版操作画面又は簡易版操作画面がＵＩ部１６に表示される。通常版操作画面用のホームアプリケーション２２又は簡易版操作画面用のホームアプリケーション２２のいずれかが記憶部１８に記憶されている場合、その記憶されているホームアプリケーション２２が実行されることにより、そのホームアプリケーション２２によって実現されるホーム操作画面がＵＩ部１６に表示される。通常版操作画面用のホームアプリケーション２２と簡易版操作画面用のホームアプリケーション２２の両方が記憶部１８に記憶されている場合、実行されたホームアプリケーション２２によって実現されるホーム操作画面がＵＩ部１６に表示される。例えば、ユーザが通常版操作画面又は簡易版操作画面の表示指示を与えると、その指示に対応するホームアプリケーション２２が実行され、これにより、通常版操作画面又は簡易版操作画面のいずれかがＵＩ部１６に表示される。
【００３５】
制御部２４は、端末装置１０の各部の動作を制御する。また、制御部２４は、情報取得部２６と操作性種別識別部２８を含む。
【００３６】
情報取得部２６は、ホームアプリケーション２２に関するホームアプリ情報を取得する。ホームアプリ情報は、ホームアプリケーション２２に対応付けられている情報であり、例えば、ホームアプリケーション２２の名称やアプリＩＤ等である。例えば、１つのホームアプリケーション２２が記憶部１８に記憶されている場合、情報取得部２６は、そのホームアプリケーション２２に関するホームアプリ情報を取得する。２つのホームアプリケーション２２が記憶部１８に記憶されている場合、情報取得部２６は、端末装置１０にて使用されているホームアプリケーション２２、つまり、端末装置１０にて起動しているホームアプリケーション２２に関するホームアプリ情報を取得する。情報取得部２６は、ホームアプリ情報を取得するとともに、又は、ホームアプリ情報を取得する替わりに、機種識別情報２０を取得してもよい。
【００３７】
操作性種別識別部２８は、情報取得部２６によって取得された情報に基づいて、端末装置１０のホーム操作画面の種別（通常版操作画面又は簡易版操作画面）を識別する。例えば、ホームアプリ情報が取得された場合において、そのホームアプリ情報が通常版操作画面用のホームアプリケーション２２の名称やアプリＩＤ等を示す場合、ホーム操作画面の種別は通常版操作画面であると識別される。一方、ホームアプリ情報が簡易版操作画面用のホームアプリケーション２２の名称やアプリＩＤ等を示す場合、ホーム操作画面の種別は簡易版操作画面であると識別される。操作性種別識別部２８は、例えば、簡易版操作画面用のホームアプリケーション２２に関するホームアプリ情報（例えば名称リスト）を保持しており、保持しているホームアプリ情報と情報取得部２６によって取得されたホームアプリ情報とを対比することにより、ホーム操作画面の種別を識別する。
【００３８】
別の例として、操作性種別識別部２８は、機種識別情報２０に基づいて、端末装置１０のホーム操作画面の種別を識別してもよい。操作性種別識別部２８は、例えば、簡易版操作画面用のホームアプリケーション２２が予めインストールされている端末装置１０を示す機種識別情報を保持しており、保持している機種識別情報と情報取得部２６によって取得された機種識別情報２０とを対比することにより、ホーム操作画面の種別を識別してもよい。
【００３９】
さらに別の例として、操作性種別識別部２８は、端末装置１０にて起動しているホームアプリケーション２２によって表示されるホーム操作画面中の表示項目の数を示す情報を取得し、その表示項目の数に基づいて、ホーム操作画面の種別を識別してもよい。例えば、表示項目の数が予め設定された閾値以上となる場合、ホーム操作画面は通常版操作画面であると識別され、表示項目の数が閾値未満となる場合、ホーム操作画面は簡易版操作画面であると識別される。別の例として、表示項目の数と基準項目数との差に基づいて、ホーム操作画面の種別を識別してもよい。基準項目数は、例えば、通常版操作画面に表示される表示項目の数であり、予め設定された数（例えばデフォルト設定時の表示項目数）である。表示項目の数が基準項目数未満であり、かつ、表示項目の数と基準項目数との差が予め設定された閾値以上となる場合、ホーム操作画面は簡易版操作画面であると識別される。表示項目の数が基準項目数以上の場合、又は、表示項目の数が基準項目数未満であり、かつ、表示項目の数と基準項目数との差が予め設定された閾値未満となる場合、ホーム操作画面は通常版操作画面であると識別される。
【００４０】
ホーム操作画面の種別が識別されると、その種別を示す操作性種別情報を含む制御情報は、端末装置１０から画像形成装置１２に送信される。
【００４１】
なお、操作性種別識別部２８は画像形成装置１２に設けられ、画像形成装置１２にて、端末装置１０のホーム操作画面の種別が識別されてもよい。例えば、ホームアプリ情報を含む制御情報が端末装置１０から画像形成装置１２に送信され、画像形成装置１２にて、そのホームアプリ情報に基づいて、端末装置１０のホーム操作画面の種別が識別されてもよい。別の例として、機種識別情報２０を含む制御情報が端末装置１０から画像形成装置１２に送信され、画像形成装置１２にて、その機種識別情報２０に基づいて、端末装置１０のホーム操作画面の種別が識別されてもよい。
【００４２】
以下、図３を参照して、画像形成装置１２の構成について詳しく説明する。図３には、第１実施形態に係る画像形成装置１２の構成が示されている。
【００４３】
通信部３０は通信インターフェースであり、他の装置にデータを送信する機能、及び、他の装置からデータを受信する機能を備えている。通信部３０は、例えば、近距離無線通信機能を備えている。もちろん、通信部３０は、Ｗｉ−Ｆｉ通信等の無線通信機能や有線通信機能を備えていてもよい。また、通信部３０は、インターネットやＬＡＮ等のネットワークを介してデータを送受信する機能を備えていてもよい。
【００４４】
画像形成部３２は画像形成処理を行う。画像形成部３２は、例えば、スキャン機能、プリント機能、コピー機能及びファクシミリ機能の中の少なくとも１つの機能を実行する。スキャン機能が実行されることにより、原稿が読み取られてスキャンデータ（画像データ）が生成される。プリント機能が実行されることにより、画像が用紙等の記録媒体上に印刷される。コピー機能が実行されることにより、原稿が読み取られて記録媒体上に印刷される。ファクシミリ機能が実行されることにより、画像データがファクシミリ送信又はファクシミリ受信される。当該画像データは原稿を読み取ることにより生成された画像データであってもよいし、他の装置から送信された画像データであってもよい。また、複数の機能を組み合わせた複合機能が実行されてもよい。例えば、スキャン機能と送信機能（転送機能）とを組み合わせたスキャン転送機能が実行されてもよい。このスキャン転送機能が実行されることにより、原稿が読み取られてスキャンデータ（画像データ）が生成され、そのスキャンデータが送信先に送信される。もちろん、この組み合わせ機能は一例に過ぎず、別の組み合わせ機能が実行されてもよい。
【００４５】
記憶部３４はハードディスクやメモリ等の記憶装置であり、例えば、画像形成処理の実行指示を示す実行指示情報（例えばジョブ情報等）、プリントの対象となる画像データ、スキャン機能を実行することにより生成されたスキャンデータ、各種の制御データ、各種のプログラム、各種のデータ等を記憶する。もちろん、それらは別々の記憶装置に記憶されてもよいし、同一の記憶装置に記憶されてもよい。
【００４６】
ＵＩ部３６はユーザインターフェース部であり、表示部と操作部を含む。表示部は、例えば液晶ディスプレイ等の表示装置である。操作部は、例えばタッチパネルやキーボード等の入力装置である。もちろん、ＵＩ３６は、表示部と操作部の両方の機能を兼ね備えたユーザインターフェース（例えば、タッチパネルとしてのディスプレイや、電子的にキーボード等を表示するディスプレイ等）であってもよい。
【００４７】
制御部３８は、画像形成装置１２の各部の動作を制御する。また、制御部３８は、制御情報取得部４０と表示制御部４２を含む。
【００４８】
制御情報取得部４０は、端末装置１０から送信された制御情報を取得する。制御情報取得部４０は、例えば、操作性種別識別情報を含む制御情報、ホームアプリ情報を含む制御情報、又は、機種識別情報２０を含む制御情報を、近距離無線通信によって実現される通信経路Ｎを介して端末装置１０から受信する。
【００４９】
表示制御部４２は、ＵＩ部３６の表示を制御する。第１実施形態では、表示制御部４２は、端末装置１０から送信された制御情報に従って、通常版操作画面又は簡易版操作画面をＵＩ部３６に表示させる。
【００５０】
例えば、制御情報に操作性種別情報が含まれている場合において、その操作性種別情報が通常版操作画面を示している場合、表示制御部４２は、通常版操作画面をＵＩ部３６に表示させる。一方、操作性種別情報が簡易版操作画面を示している場合、表示制御部４２は、簡易版操作画面をＵＩ部３６に表示させる。例えばホーム操作画面を画像形成装置１２のＵＩ部３６に表示させる場合、表示制御部４２は、操作性種別情報が示す情報に従って、ホーム操作画面の通常版の画面（通常版操作画面）、又は、ホーム操作画面の簡易版の画面（簡易版操作画面）を、ＵＩ部３６に表示させる。画像形成装置１２に表示されるホーム操作画面は、例えば、最上位のメニュー画面（例えばメインメニュー画面）である。もちろん、ホーム操作画面は、最上位以外のメニュー画面や設定画面等であってもよい。例えば、ホーム操作画面は、画像形成機能を選択するためのメニュー画面や、プリントの条件を設定するためのプリント設定画面、等であってもよい。
【００５１】
別の例として、制御情報にホームアプリ情報が含まれている場合において、そのホームアプリ情報が特定のホームアプリケーション（簡易版操作画面用のホームアプリケーション）を示している場合（例えば、そのホームアプリ情報が簡易版操作画面用のホームアプリケーションの名称やアプリＩＤを示している場合）、表示制御部４２は、簡易版操作画面をＵＩ部３６に表示させてもよい。なお、簡易版操作画面用のホームアプリケーションに関するホームアプリ情報は、画像形成装置１２の記憶部３４に記憶されていてもよい。一方、ホームアプリ情報が特定のホームアプリケーションを示していない場合（例えば、そのホームアプリ情報が簡易版操作画面用のホームアプリケーションの名称やアプリＩＤを示していない場合）、表示制御部４２は、通常版操作画面をＵＩ部３６に表示させる。
【００５２】
さらに別の例として、制御情報に機種識別情報２０が含まれている場合において、その機種識別情報２０が特定の機種（簡易版操作画面用のホームアプリケーションが予めインストールされた端末装置１０の機種）を示している場合、表示制御部４２は、簡易版操作画面をＵＩ部３６に表示させてもよい。なお、特定の機種を示す機種識別情報は、画像形成装置１２の記憶部３４に記憶されていてもよい。一方、機種識別情報２０が特定の機種を示していない場合、表示制御部４２は、通常版操作画面をＵＩ部３６に表示させる。
【００５３】
以下、端末装置１０に表示される画面について詳しく説明する。
【００５４】
図４を参照して、端末装置１０に表示される通常版操作画面について詳しく説明する。図４には、その画面の一例が示されている。通常版操作画面４４は、端末装置１０に表示されるホーム操作画面（例えばメインのメニュー画面（最上位のメニュー画面））の通常版の画面の一例である。通常版操作画面４４用のホームアプリケーション２２が端末装置１０にて実行（起動）されている場合、端末装置１０の制御部２４は、例えば、メインのメニュー画面として通常版操作画面４４をＵＩ部１６に表示させる。通常版操作画面４４には、表示項目としての複数のアイコン４６（例えばボタン画像）が表示されている。各アイコン４６には特定の機能（例えば端末装置１０が有する機能）が対応付けられており、例えば、ユーザが特定のアイコン４６を指示したり押したりすることにより、そのアイコン４６に対応付けられている特定の機能が実行される。例えば、電話を使用するためのアイコン４６、特定のアプリケーションの実行を指示するためのアイコン４６、特定の設定を行うためのアイコン４６、等が通常版操作画面４４に表示されている。通常版操作画面４４においては、簡易版操作画面よりも表示されるアイコン４６の数が多い。また、通常版操作画面４４においては、簡易版操作画面よりも表示されるアイコン４６のサイズが小さくてもよい。また、通常版操作画面４４においては、簡易版操作画面よりも表示される文字のサイズが小さくてもよい。例えば、各アイコン４６に付随する文字列や、日時を示す文字列が、簡易版操作画面よりも小さく表示される。なお、各アイコン４６の表示位置、表示されるアイコン４６の数、アイコンの表示サイズ、等が、ユーザによって変更されてもよい。
【００５５】
図５を参照して、端末装置１０に表示される簡易版操作画面について詳しく説明する。図５には、その画面の一例が示されている。簡易版操作画面４８は、端末装置１０に表示されるホーム操作画面の簡易版の画面の一例である。簡易版操作画面４８用のホームアプリケーション２２が端末装置１０にて実行（起動）されている場合、端末装置１０の制御部２４は、例えば、メインのメニュー画面として簡易版操作画面４８をＵＩ部１６に表示させる。簡易版操作画面４８には、表示項目としての複数のアイコン５０（例えばボタン画像）が表示されている。各アイコン５０には特定の機能が対応付けられており、例えば、ユーザが特定のアイコン５０を指示したり押したりすることにより、そのアイコン５０に対応付けられている特定の機能が実行される。簡易版操作画面４８においては、上記の通常版操作画面４４よりも表示されるアイコン５０の数が少ない。例えば、簡易版操作画面４８におけるアイコン５０の表示数の上限は、通常版操作画面４４における上限よりも少ない。なお、その上限は、予め設定されていてもよいし、ユーザによって変更されてもよい。簡易版操作画面４８に表示されるアイコン５０は、ユーザによって指定された機能に対応付けられているアイコンであってもよいし、予め設定された機能（例えば主要機能）に対応付けられているアイコンであってもよい。図５に示す例では、電話を使用するためのアイコン５０、連絡先（例えばアドレス帳）を使用するためのアイコン５０、メモ帳を使用するためのアイコン５０、写真機能を使用するためのアイコン５０、及び、電子メールを使用するためのアイコン５０が、簡易版操作画面４８に表示されている。また、簡易版操作画面４８においては、通常版操作画面４４よりも表示されるアイコン５０のサイズが大きくてもよい。また、簡易版操作画面４８においては、通常版操作画面４４よりも表示される文字のサイズが大きくてもよい。例えば、各アイコン５０に付随する文字列や、日時を示す文字列が、通常版操作画面４４よりも大きく表示される。なお、各アイコン５０の表示位置、表示されるアイコン５０の数、アイコン５０の表示サイズ、等が、ユーザによって変更されてもよい。
【００５６】
例えば、通常版操作画面４４用のホームアプリケーション２２がインストールされている端末装置１０であって、簡易版操作画面４８用のホームアプリケーション２２がインストールされていない端末装置１０においては、図４に示されている通常版操作画面４４がホーム操作画面として表示される。通常版操作画面４４用のホームアプリケーション２２がインストールされていない端末装置１０であって、簡易版操作画面４８用のホームアプリケーション２２がインストールされている端末装置１０においては、図５に示されている簡易版操作画面４８がホーム操作画面として表示される。通常版操作画面４４用のホームアプリケーション２２と簡易版操作画面４８用のホームアプリケーション２２の両方がインストールされている端末装置１０においては、起動しているホームアプリケーション２２に応じたホーム操作画面が表示される。例えば、通常版操作画面４４用のホームアプリケーション２２が起動している場合、通常版操作画面４４が端末装置１０のＵＩ部１６に表示される。簡易版操作画面４８用のホームアプリケーション２２が起動している場合、簡易版操作画面４８が端末装置１０のＵＩ部１６に表示される。
【００５７】
以下、画像形成装置１２に表示される画面について詳しく説明する。
【００５８】
図６を参照して、画像形成装置１２に表示される通常版操作画面について詳しく説明する。図６には、その画面の一例が示されている。通常版操作画面５２は、画像形成装置１２に表示されるホーム操作画面（例えばメインのメニュー画面（最上位のメニュー画面））の通常版の画面の一例である。通常版操作画面５２用のホームアプリケーションが画像形成装置１２にて実行（起動）されている場合、画像形成装置１２の表示制御部４２は、例えば、メインのメニュー画面として通常版操作画面５２をＵＩ部３６に表示させる。通常版操作画面５２には、表示項目としての複数のアイコン５４（例えばボタン画像）が表示されている。各アイコン５４には特定の機能（例えば画像形成装置１２が有する機能）が対応付けられており、例えば、ユーザが特定のアイコン５４を指示したり押したりすることにより、そのアイコン５４に対応付けられている特定の機能が実行される。例えば、コピー機能を使用するためのアイコン５４、スキャン機能を使用するためのアイコン５４、等が通常版操作画面５２に表示されている。通常版操作画面５２においては、簡易版操作画面よりも表示されるアイコン５４の数が多い。また、通常版操作画面５２においては、簡易版操作画面よりも表示されるアイコン５０のサイズが小さくてもよい。また、通常版操作画面５２においては、簡易版操作画面よりも表示される文字のサイズが小さくてもよい。例えば、各アイコン５４に付随する文字列が、簡易版操作画面よりも小さく表示される。なお、各アイコン５４の表示位置、表示されるアイコン５４の数、アイコン５４の表示サイズ、等が、ユーザによって変更されてもよい。
【００５９】
図７を参照して、画像形成装置１２に表示される簡易版操作画面について詳しく説明する。図７には、その画面の一例が示されている。簡易版操作画面５６は、画像形成装置１２に表示されるホーム操作画面の簡易版の画面の一例である。簡易版操作画面５６用のホームアプリケーションが画像形成装置１２にて実行（起動）されている場合、画像形成装置１２の表示制御部４２は、例えば、メインのメニュー画面として簡易版操作画面５６をＵＩ部３６に表示させる。簡易版操作画面５６には、表示項目としての複数のアイコン５８（例えばボタン画像）が表示されている。各アイコン５８には特定の機能が対応付けられており、例えば、ユーザが特定のアイコン５８を指示したり押したりすることにより、そのアイコン５８に対応付けられている特定の機能が実行される。簡易版操作画面５６においては、上記の通常版操作画面５２よりも表示されるアイコン５８の数が少ない。例えば、簡易版操作画面５６におけるアイコン５８の表示数の上限は、通常版操作画面５２における上限よりも少ない。なお、その上限は、予め設定されていてもよいし、ユーザによって変更されてもよい。簡易版操作画面５６に表示されるアイコン５８は、ユーザによって指定された機能に対応付けられているアイコンであってもよいし、予め設定された機能（例えば主要機能）に対応付けられているアイコンであってもよい。図７に示す例では、コピー機能を使用するためのアイコン５８、スキャン機能を使用するためのアイコン５８、等が、簡易版操作画面５６に表示されている。また、簡易版操作画面５６においては、通常版操作画面５２よりも表示されるアイコン５８のサイズが大きくてもよい。また、簡易版操作画面５６においては、通常版操作画面５２よりも表示される文字のサイズが大きくてもよい。例えば、各アイコン５８に付随する文字列が、通常版操作画面５２よりも大きく表示される。なお、各アイコン５８の表示位置、表示されるアイコン５８の数、アイコン５８の表示サイズ、等が、ユーザによって変更されてもよい。
【００６０】
表示制御部４２は、ユーザの指示に応じて、通常版操作画面５２又は簡易版操作画面５６をＵＩ部３６に表示させる。また、第１実施形態においては、表示制御部４２は、端末装置１０から送信される制御情報に従って、通常版操作画面５２又は簡易版操作画面５６をＵＩ部３６に表示させる。
【００６１】
以下、第１実施形態に係る画像形成システムの動作について説明する。
【００６２】
まず、図８を参照して、端末装置１０の動作について説明する。図８には、その動作を示すフローチャートが示されている。
【００６３】
ユーザは、端末装置１０にインストールされている近距離無線通信用のアプリケーションを起動させる。これにより、近距離無線通信が実施される。例えば、印刷アプリケーション等のように画像形成用のアプリケーションが起動されたときに、近距離無線通信用のアプリケーションが起動されてもよいし、端末装置１０の電源をオンにしたときに、近距離無線通信用のアプリケーションが自動的に起動されてもよい。
【００６４】
次に、端末装置１０の情報取得部２６は、ホームアプリケーション２２に関するホームアプリ情報を取得する（Ｓ０１）。例えば、１つのホームアプリケーション２２が記憶部１８に記憶されている場合、情報取得部２６は、そのホームアプリケーション２２に関するホームアプリ情報を取得する。２つのホームアプリケーション２２が記憶部１８に記憶されている場合、情報取得部２６は、端末装置１０にて起動しているホームアプリケーション２２に関するホームアプリ情報を取得する。別の例として、情報取得部２６は、ホームアプリ情報を取得するとともに、又は、ホームアプリ情報を取得する替わりに、機種識別情報２０を取得してもよい。
【００６５】
操作性種別識別部２８は、情報取得部２６によって取得された情報に基づいて、端末装置１０のホーム操作画面の種別を識別する。例えば、ホームアプリ情報が通常版操作画面用のホームアプリケーション２２の名称やアプリＩＤ等を示す場合、ホーム操作画面の種別は通常版操作画面であると識別される。一方、ホームアプリ情報が簡易版操作画面用のホームアプリケーション２２の名称やアプリＩＤ等を示す場合、ホーム操作画面の種別は簡易版操作画面であると識別される。別の例として、操作性種別識別部２８は、機種識別情報２０に基づいて、端末装置１０のホーム操作画面の種別を識別してもよい。さらに別の例として、操作性種別識別部２８は、端末装置１０にて起動しているホームアプリケーション２２によって表示されるホーム操作画面中の表示項目の数に基づいて、ホーム操作画面の種別を識別してもよい。
【００６６】
端末装置１０と画像形成装置１２との間で近距離無線通信が確立されていない場合（Ｓ０２，Ｎｏ）、端末装置１０は待機する。
【００６７】
端末装置１０と画像形成装置１２との間で近距離無線通信が確立された場合（Ｓ０２，Ｙｅｓ）、処理はステップＳ０３に移行する。例えば、近距離無線通信としてブルートゥースが使用される場合、画像形成装置１２を基準としてブルートゥースの通信範囲内に端末装置１０が存在すると、端末装置１０と画像形成装置１２との間で通信が確立される。また、近距離無線通信としてＮＦＣが使用される場合、ユーザが、画像形成装置１２に設置されているＮＦＣ用の通信インターフェースに端末装置１０を近づけると、端末装置１０と画像形成装置１２との間で通信が確立される。
【００６８】
端末装置１０と画像形成装置１２との間で近距離無線通信が確立された後、端末装置１０が、制御情報の取得要求を画像形成装置１２から受けていない場合（Ｓ０３，Ｎｏ）、端末装置１０は待機する。この場合、処理はステップＳ０２に移行する。
【００６９】
端末装置１０が、制御情報の取得要求を画像形成装置１２から受けた場合（Ｓ０３，Ｙｅｓ）、処理はステップＳ０４に移行する。例えば、端末装置１０は、近距離無線通信によって実現される通信経路Ｎを介して、画像形成装置１２から制御情報の取得要求を受信する。
【００７０】
ホーム操作画面が簡易版操作画面である場合（Ｓ０４，Ｙｅｓ）、端末装置１０は、簡易版操作画面を示す操作性種別情報を含む制御情報を、近距離無線通信によって実現される通信経路Ｎを介して画像形成装置１２に送信する（Ｓ０５）。
【００７１】
ホーム操作画面が通常版操作画面である場合（Ｓ０４，Ｎｏ）、端末装置１０は、通常版操作画面を示す操作性種別情報を含む制御情報を、近距離無線通信によって実現される通信経路Ｎを介して画像形成装置１２に送信する（Ｓ０６）。なお、制御情報の取得要求を待たずに、端末装置１０は制御情報を画像形成装置１２に送信してもよい。
【００７２】
次に、図９を参照して、画像形成装置１２の動作について説明する。図９には、その動作を示すフローチャートが示されている。
【００７３】
まず、画像形成装置１２は、近距離無線通信を実施する（Ｓ１０）。
【００７４】
端末装置１０と画像形成装置１２との間で近距離無線通信が確立されていない場合（Ｓ１１，Ｎｏ）、画像形成装置１２は待機する。
【００７５】
端末装置１０と画像形成装置１２との間で近距離無線通信が確立された場合（Ｓ１１，Ｙｅｓ）、処理はステップＳ１２に移行する。この近距離無線通信の確立方法は、上記のステップＳ０２で説明した方法である。
【００７６】
端末装置１０と画像形成装置１２との間で近距離無線通信が確立された後、画像形成装置１２は、制御情報の取得要求を、近距離無線通信によって実現される通信経路Ｎを介して端末装置１０に送信する（Ｓ１２）。
【００７７】
なお、近距離無線通信としてブルートゥースが使用される場合において、画像形成装置１２との間で近距離無線通信（ブルートゥース）が確立された複数の端末装置１０が検出された場合、画像形成装置１２は、当該画像形成装置１２と各端末装置１０との間の距離を示す情報を取得する。画像形成装置１２の制御部３８は、例えば、各端末装置１０との間における近距離無線通信（ブルートゥース）の信号強度に基づいて、当該画像形成装置１２と各端末装置１０との間の距離を演算する。画像形成装置１２は、複数の端末装置１０の中で、画像形成装置１２から最も近い位置に存在する端末装置１０に制御情報の取得要求を送信してもよいし、画像形成装置１２との間の距離が予め設定された閾値以下（例えば１ｍ以下）となる端末装置１０に制御情報の取得要求を送信してもよい。別の例として、画像形成装置１２は、近距離無線通信（ブルートゥース）による信号の送受信により、端末装置１０のおおよその位置を特定し、当該画像形成装置１２の前に立ち止まっているユーザの端末装置１０に制御情報の取得要求を送信してもよい。
【００７８】
制御情報の取得要求に応じて、制御情報が、近距離無線通信によって実現される通信経路Ｎを介して、端末装置１０から画像形成装置１２に送信され、画像形成装置１２は、その制御情報を受信する。なお、制御情報の取得要求を待たずに、端末装置１０は制御情報を画像形成装置１２に送信してもよい。
【００７９】
制御情報が通常版操作画面を示している場合（Ｓ１３，通常版）、画像形成装置１２の表示制御部４２は、通常版操作画面を画像形成装置１２のＵＩ部３６に表示させる（Ｓ１４）。例えば、図６に示されている通常版操作画面５２がＵＩ部３６に表示される。
【００８０】
制御情報が簡易版操作画面を示している場合（Ｓ１３，簡易版）、画像形成装置１２の表示制御部４２は、簡易版操作画面を画像形成装置１２のＵＩ部３６に表示させる（Ｓ１５）。例えば、図７に示されている簡易版操作画面５６がＵＩ部３６に表示される。
【００８１】
なお、端末装置１０においてホーム操作画面の種別が識別されなくてもよい。この場合、操作性識別応報を含む制御情報が端末装置１０から画像形成装置１２に送信されずに、ホームアプリ情報を含む制御情報、又は、機種識別情報２０を含む制御情報が、端末装置１０から画像形成装置１２に送信される。
【００８２】
例えば、制御情報にホームアプリ情報が含まれている場合において、そのホームアプリ情報が特定のホームアプリケーション（簡易版操作画面用のホームアプリケーション）を示している場合、表示制御部４２は、簡易版操作画面をＵＩ部３６に表示させる。一方、ホームアプリ情報が特定のホームアプリケーション（簡易版操作画面用のホームアプリケーション）を示していない場合、表示制御部４２は、通常版操作画面をＵＩ部３６に表示させる。
【００８３】
別の例として、制御情報に機種識別情報２０が含まれている場合において、その機種識別情報２０が特定の機種（簡易版操作画面用のホームアプリケーションが予めインストールされた端末装置１０の機種）を示している場合、表示制御部４２は、簡易版操作画面をＵＩ部３６に表示させる。一方、機種識別情報２０が特定の機種を示していない場合、表示制御部４２は、通常版操作画面をＵＩ部３６に表示させる。
【００８４】
以上のように、第１実施形態によると、端末装置１０において簡易版操作画面が使用されている場合、画像形成装置１２においても簡易版操作画面が表示される。つまり、端末装置１０と同様の操作環境が画像形成装置１２にて実現される。例えば、画像形成装置１２において、表示項目（例えばアイコン等のボタン画像）が通常版操作画面よりも少ない画面が表示される。また、表示項目が通常版操作画面よりも大きく表示されてもよいし、文字が通常版操作画面よりも大きく表示されてもよい。
【００８５】
なお、端末装置１０と画像形成装置１２との間で近距離無線通信が確立している場合、端末装置１０は、当該端末装置１０のユーザを識別するためのユーザ識別情報を画像形成装置１２に送信し、画像形成装置１２は、そのユーザ識別情報に基づいてユーザ認証を行ってもよい。
【００８６】
画像形成装置１２のＵＩ部３６に簡易版操作画面５６が表示されている場合であっても、ユーザの指示に応じて、ＵＩ部３６に表示される画面が通常版操作画面５２に切り替えられてもよい。例えば、ユーザがＵＩ部３６を介して通常版操作画面５２の表示指示を与えると、画像形成装置１２の表示制御部４２は、通常版操作画面５２をＵＩ部３６に表示させる。また、ＵＩ部３６に通常版操作画面５２が表示されている場合に、ユーザの指示に応じて、ＵＩ部３６に表示される画面が簡易版操作画面５６に切り替えられてもよい。
【００８７】
［第２実施形態］
以下、本発明の第２実施形態に係る情報処理システムとしての画像形成システムについて説明する。第２実施形態に係る画像形成システムは、上記の端末装置１０の替わりに端末装置１０Ａを含み、上記の画像形成装置１２の替わりに画像形成装置１２Ａを含む。端末装置１０Ａと画像形成装置１２Ａは、第１実施形態と同様に、通信経路Ｎを介して互いに通信する機能を備えている。以下、端末装置１０Ａと画像形成装置１２Ａについて詳しく説明する。
【００８８】
図１０を参照して、端末装置１０Ａの構成について詳しく説明する。図１０には、第２実施形態に係る端末装置１０Ａの構成が示されている。
【００８９】
端末装置１０Ａは、第１実施形態に係る端末装置１０の記憶部１８と制御部２４の替わりに、記憶部１８Ａと制御部２４Ａを含む。それら以外の構成は、第１実施形態に係る端末装置１０の構成と同じである。
【００９０】
記憶部１８Ａはハードディスクやメモリ等の記憶装置であり、例えば、各種のプログラムや各種のデータ等を記憶する。もちろん、それらは別々の記憶装置に記憶されていてもよいし、同一の記憶装置に記憶されていてもよい。また、記憶部１８Ａには、補助設定情報６０が記憶されている。
【００９１】
補助設定情報６０は、端末装置１０ＡのＵＩ部１６にて画面を表示する場合に用いられている設定情報である。例えば、補助設定情報６０は、文字サイズの設定内容を示す情報、画面の輝度やコントラストの設定内容を示す情報、テキスト読み上げ機能の設定内容を示す情報、表示項目の数を示す情報、ＵＩ部１６に表示されている画面に対する接触操作（タッチ操作）の検出感度の設定内容を示す情報、等を含む。テキスト読み上げ機能は、画面に表示されている文字列を読み上げる機能である。接触操作の検出感度の設定内容は、画面に対する長押し（画面が継続して押されている状態、つまり、画面への接触が継続して検出されている状態）の設定内容（例えば長押しの時間）や、検出感度の調整値、等である。文字サイズ、画面の輝度やコントラスト、テキスト読み上げ機能の有無、表示項目の数、接触操作の検出感度、等は、例えば端末装置１０Ａのユーザによって設定される。もちろん、これらの内容は、端末装置１０Ａに予め設定されていてもよい。
【００９２】
制御部２４Ａは、端末装置１０Ａの各部の動作を制御する。また、制御部２４Ａは、補助設定情報取得部６２を含む。
【００９３】
補助設定情報取得部６２は、補助設定情報６０を取得する。その補助設定情報６０を含む制御情報は、端末装置１０Ａから画像形成装置１２Ａに送信される。
【００９４】
以下、図１１を参照して、画像形成装置１２Ａの構成について詳しく説明する。図１１には、第２実施形態に係る画像形成装置１２Ａの構成が示されている。
【００９５】
画像形成装置１２Ａは、第１実施形態に係る画像形成装置１２の制御部３８の替わりに、制御部３８Ａを含む。制御部３８Ａ以外の構成は、第１実施形態に係る画像形成装置１２の構成と同じである。
【００９６】
制御部３８Ａは、画像形成装置１２Ａの各部の動作を制御する。また、制御部３８Ａは、制御情報取得部４０、表示制御部４２及び読上部６４を含む。
【００９７】
制御情報取得部４０は、端末装置１０Ａから送信された制御情報を取得する。第２実施形態では、制御情報取得部４０は、例えば、補助設定情報を含む制御情報を、近距離無線通信によって実現される通信経路Ｎを介して端末装置１０Ａから受信する。
【００９８】
表示制御部４２は、ＵＩ部３６の表示を制御する。第２実施形態では、表示制御部４２は、端末装置１０Ａから送信された制御情報に従って、端末装置１０ＡのＵＩ部１６の設定内容を、画像形成装置１２ＡのＵＩ部３６に反映させる。
【００９９】
例えば、端末装置１０Ａにおいて画面中の文字サイズが設定されている場合、つまり、制御情報に、その文字サイズを示す補助設定情報６０が含まれている場合、表示制御部４２は、補助設定情報６０が示す文字サイズを、画像形成装置１２ＡのＵＩ部３６に表示されている画面中の文字サイズに反映させる。
【０１００】
また、端末装置１０Ａにおいて画面中の輝度やコントラストが設定されている場合、つまり、制御情報に、その輝度やコントラストを示す補助設定情報６０が含まれている場合、表示制御部４２は、補助設定情報６０が示す輝度やコントラストを、画像形成装置１２ＡのＵＩ部３６に表示されている画面の輝度やコントラストに反映させる。
【０１０１】
読上部６４は、画像形成装置１２ＡのＵＩ部３６に表示されている文字列を読み上げる。つまり、読上部６４は、その文字列を音声に変換し、その音声を出力する。これにより、その文字列を内容とする音声が発せられる。例えば、端末装置１０Ａにおいてテキスト読み上げ機能がオンに設定されている場合、つまり、制御情報に、テキスト読み上げ機能がオンであることを示す補助設定情報６０が含まれている場合、制御部３８Ａは、読上部６４をオンに設定する。これにより、画像形成装置１２Ａにおいてテキスト読み上げ機能がオンに設定され、ＵＩ部３６に表示されている文字列が読み上げられる。
【０１０２】
また、端末装置１０Ａにおいて画面に対する接触操作の検出感度が設定されている場合、つまり、制御情報に、その検出感度の設定内容を示す補助設定情報６０が含まれている場合、制御部３８Ａは、その検出感度の設定を、画像形成装置１２ＡのＵＩ部３６に表示されている画面に対する接触操作の検出感度に反映させてもよい。
【０１０３】
以下、第２実施形態に係る画像形成システムの動作について説明する。
【０１０４】
まず、図１２を参照して、端末装置１０Ａの動作について説明する。図１２には、その動作を示すフローチャートが示されている。
【０１０５】
第１実施形態と同様に、ユーザは、端末装置１０Ａにインストールされている近距離無線通信用のアプリケーションを起動させる。これにより、近距離無線通信が実施される。
【０１０６】
次に、端末装置１０Ａの補助設定情報取得部６２は、補助設定情報６０を取得する（Ｓ２１）。
【０１０７】
端末装置１０Ａと画像形成装置１２Ａとの間で近距離無線通信が確立されていない場合（Ｓ２２，Ｎｏ）、端末装置１０Ａは待機する。
【０１０８】
端末装置１０Ａと画像形成装置１２Ａとの間で近距離無線通信が確立された場合（Ｓ２２，Ｙｅｓ）、処理はステップＳ２３に移行する。例えば、近距離無線通信としてブルートゥースが使用される場合、画像形成装置１２Ａを基準としてブルートゥースの通信範囲内に端末装置１０Ａが存在すると、端末装置１０Ａと画像形成装置１２Ａとの間で通信が確立される。また、近距離無線通信としてＮＦＣが使用される場合、ユーザが、画像形成装置１２Ａに設置されているＮＦＣ用の通信インターフェースに端末装置１０Ａを近づけると、端末装置１０Ａと画像形成装置１２Ａとの間で通信が確立される。
【０１０９】
端末装置１０Ａと画像形成装置１２Ａとの間で近距離無線通信が確立された後、端末装置１０Ａが、制御情報の取得要求を画像形成装置１２Ａから受けていない場合（Ｓ２３，Ｎｏ）、端末装置１０Ａは待機する。この場合、処理はステップＳ２２に移行する。
【０１１０】
端末装置１０Ａが、制御情報の取得要求を画像形成装置１２Ａから受けた場合（Ｓ０２３，Ｙｅｓ）、端末装置１０Ａは、補助設定情報６０を含む制御情報を画像形成装置１２Ａに送信する（Ｓ２４）。例えば、端末装置１０Ａは、近距離無線通信によって実現される通信経路Ｎを介して画像形成装置１２Ａから制御情報の取得要求を受信し、その取得要求の受信に応じて、補助設定情報６０を含む制御情報を、近距離無線通信によって実現される通信経路Ｎを介して画像形成装置１２Ａに送信する。なお、制御情報の取得要求を待たずに、端末装置１０Ａは制御情報を画像形成装置１２Ａに送信してもよい。
【０１１１】
次に、図１３を参照して、画像形成装置１２Ａの動作について説明する。図１３には、その動作を示すフローチャートが示されている。
【０１１２】
まず、画像形成装置１２Ａは、近距離無線通信を実施する（Ｓ３０）。
【０１１３】
端末装置１０Ａと画像形成装置１２Ａとの間で近距離無線通信が確立されていない場合（Ｓ３１，Ｎｏ）、画像形成装置１２Ａは待機する。
【０１１４】
端末装置１０Ａと画像形成装置１２Ａとの間で近距離無線通信が確立された場合（Ｓ３１，Ｙｅｓ）、処理はステップＳ３２に移行する。この近距離無線通信の確立方法は、上記のステップＳ２２で説明した方法である。
【０１１５】
端末装置１０Ａと画像形成装置１２Ａとの間で近距離無線通信が確立された後、画像形成装置１２Ａは、制御情報の取得要求を、近距離無線通信によって実現される通信経路Ｎを介して端末装置１０Ａに送信する（Ｓ３２）。
【０１１６】
なお、第２実施形態においても、近距離無線通信としてブルートゥースが使用される場合において、画像形成装置１２Ａとの間で近距離無線通信（ブルートゥース）が確立された複数の端末装置１０Ａが検出された場合、画像形成装置１２Ａは、画像形成装置１２Ａから最も近い位置に存在する端末装置１０Ａに制御情報の取得要求を送信してもよいし、画像形成装置１２Ａとの間の距離が予め設定された閾値以下となる端末装置１０Ａに制御情報の取得要求を送信してもよい。
【０１１７】
制御情報の取得要求に応じて、制御情報が、近距離無線通信によって実現される通信経路Ｎを介して、端末装置１０Ａから画像形成装置１２Ａに送信され、画像形成装置１２Ａは、その制御情報を受信する。なお、制御情報の取得要求を待たずに、端末装置１０Ａは制御情報を画像形成装置１２Ａに送信してもよい。
【０１１８】
端末装置１０Ａにおいて画面中の文字サイズが設定されている場合（Ｓ３３，Ｙｅｓ）、つまり、制御情報に、その文字サイズを示す補助設定情報６０が含まれている場合、画像形成装置１２Ａの表示制御部４２は、補助設定情報６０が示す文字サイズを、画像形成装置１２ＡのＵＩ部３６に表示されている画面中の文字サイズに反映させる（Ｓ３４）。つまり、表示制御部４２は、ＵＩ部３６に表示されている画面中の文字サイズを、補助設定情報６０が示す文字サイズに設定する。例えば、端末装置１０Ａにおいて、文字サイズが「大」、「中」、「小」の複数の設定内容の中からいずれかが選択されている場合、表示制御部４２は、その選択された設定内容に従って、ＵＩ部３６に表示されている画面中の文字サイズを設定する。例えば、端末装置１０Ａにおいて文字サイズとして「大」が選択されている場合、表示制御部４２は、ＵＩ部３６に表示されている画面中の文字サイズを「大」に設定する。
【０１１９】
端末装置１０Ａにおいて画面中の文字サイズが設定されていない場合（Ｓ３３，Ｎｏ）、つまり、制御情報に、その文字サイズを示す補助設定情報６０が含まれていない場合、処理は、ステップＳ３５に移行する。この場合、表示制御部４２は、予め設定された文字サイズに従って、ＵＩ部３６に表示されている画面中の文字サイズを設定する。
【０１２０】
端末装置１０Ａにおいて画面中の輝度やコントラストが設定されている場合（Ｓ３５，Ｙｅｓ）、つまり、制御情報に、その輝度やコントラストを示す補助設定情報６０が含まれている場合、表示制御部４２は、補助設定情報６０が示す輝度やコントラストを、画像形成装置１２ＡのＵＩ部３６に表示されている画面の輝度やコントラストに反映させる（Ｓ３６）。つまり、表示制御部４２は、ＵＩ部３６に表示されている画面の輝度やコントラストを、補助設定情報６０が示す輝度やコントラストに設定する。例えば、端末装置１０Ａにおいて、輝度が「高」、「中」、「低」の複数の設定内容の中からいずれかが選択されている場合、表示制御部４２は、その選択された設定内容に従って、ＵＩ部３６に表示されている画面の輝度を設定する。例えば、端末装置１０Ａにおいて輝度として「高」が設定されている場合、表示制御部４２は、ＵＩ部３６に表示されている画面の輝度を「高」に設定する。また、端末装置１０Ａにおいて、コントラストが「高」、「中」、「低」の複数の設定内容の中からいずれかが選択されている場合、表示制御部４２は、その選択された設定内容に従って、ＵＩ部３６に表示されている画面のコントラストを設定する。例えば、端末装置１０Ａにおいてコントラストとして「高」が設定されている場合、表示制御部４２は、ＵＩ部３６に表示されている画面のコントラストを「高」に設定する。高コントラストの設定が選択されている場合、表示制御部４２は、例えば、ＵＩ部３６に表示されている文字やアイコン（例えばボタン画像）等が黒又は白になるように、画面のコントラストを設定する。
【０１２１】
端末装置１０Ａにおいて画面の輝度やコントラストが設定されていない場合（Ｓ３５，Ｎｏ）、つまり、制御情報に、その輝度やコントラストを示す補助設定情報６０が含まれていない場合、処理は、ステップＳ３７に移行する。この場合、表示制御部４２は、予め設定された輝度とコントラストに従って、ＵＩ部３６に表示されている画面の輝度とコントラストを設定する。
【０１２２】
端末装置１０Ａにおいてテキスト読み上げ機能がオンに設定されている場合（Ｓ３７，Ｙｅｓ）、つまり、制御情報に、テキスト読み上げ機能がオンであることを示す補助設定情報６０が含まれている場合、制御部３８Ａは、読上部６４をオンに設定する（Ｓ３８）。これにより、画像形成装置１２Ａにおいてテキスト読み上げ機能がオンに設定され、ＵＩ部３６に表示されている文字列が読み上げられる。
【０１２３】
なお、端末装置１０Ａにおいて画面に対する接触操作（タッチ操作）の検出感度が設定されている場合、つまり、制御情報に、その検出感度の設定内容を示す補助設定情報６０が含まれている場合、制御部３８Ａは、その検出感度の設定を、画像形成装置１２ＡのＵＩ部３６に表示されている画面に対する接触操作の検出感度に反映させる。つまり、制御部３８Ａは、ＵＩ部３６に表示されている画面に対する接触操作の検出感度を、補助設定情報６０が示す検出感度に設定する。例えば、端末装置１０Ａにおいて、検出感度が「高」、「中」、「低」の複数の設定内容の中からいずれかが選択されている場合、制御部３８Ａは、その選択された設定内容に従って、ＵＩ部３６に表示されている画面に対する接触操作の接触感度を設定する。例えば、端末装置１０Ａにおいて検出感度として「高」が設定されている場合、制御部３８Ａは、ＵＩ部３６に表示されている画面に対する接触操作の検出感度を「高」に設定する。
【０１２４】
以上のように、第２実施形態によると、端末装置１０Ａにおいて設定されている補助設定の内容が、画像形成装置１２Ａに反映され、端末装置１０Ａと同様の操作環境が画像形成装置１２Ａにて実現される。
【０１２５】
なお、画像形成装置１２Ａは、補助設定情報６０が示す設定内容に従って画像形成処理を行ってもよい。例えば、画像形成装置１２Ａにおいてコピー機能やプリント機能が使用される場合、画像形成装置１２Ａは、補助設定情報６０が示す設定内容に従って、コピーやプリントを行ってもよい。具体例を挙げて説明すると、文字サイズが「大」に設定されている場合、画像形成装置１２Ａは、文字を大きくしてコピーやプリントを行う。別の例として、画像形成装置１２Ａは、１又は複数の部数について、補助設定情報６０が示す設定内容に従ってコピーやプリントを行い、他の部数については、画像形成装置１２Ａにて設定された内容に従ってコピーやプリントを行ってもよい。
【０１２６】
第２実施形態においても、画像形成装置１２Ａの表示制御部４２は、補助設定情報６０が示す設定内容に応じて、通常版操作画面５２又は簡易版操作画面５６を、画像形成装置１２ＡのＵＩ部３６に表示させてもよい。例えば、補助設定情報６０が示す設定内容が特定の設定内容である場合、表示制御部４２は、簡易版操作画面５６をＵＩ部３６に表示させる。
【０１２７】
具体例を挙げて説明すると、端末装置１０Ａにおいて画面中の表示項目の数が設定されている場合、つまり、制御情報に、その表示項目の数を示す補助設定情報６０が含まれている場合、表示制御部４２は、その表示項目の数に応じて、画像形成装置１２ＡのＵＩ部３６に通常版操作画面５２又は簡易版操作画面５６を表示させる。例えば、表示項目の数が予め設定された閾値以上の場合、表示制御部４２は、ＵＩ部３６に通常版操作画面５２を表示させる。表示項目の数が予め設定された閾値未満の場合、表示制御部４２は、ＵＩ部３６に簡易版操作画面５６を表示させる。別の例として、表示項目の数が基準項目数未満であり、かつ、表示項目の数と基準項目数との差が予め設定された閾値以上となる場合、表示制御部４２は、ＵＩ部３６に簡易版操作画面５６を表示させてもよい。表示項目の数が基準項目数以上の場合、又は、表示項目の数が基準項目数未満であり、かつ、表示項目の数と基準項目数との差が予め設定された閾値未満となる場合、表示制御部４２は、ＵＩ部３６に通常版操作画面５２を表示させてもよい。
【０１２８】
なお、端末装置１０Ａにおける画面中の表示項目の数に応じて、３つ以上の段階で、画像形成装置１２ＡのＵＩ部３６に表示される操作画面を切り替えてもよい。例えば、表示項目の数が第１閾値未満の場合、表示制御部４２は、ＵＩ部３６に簡易版操作画面５６を表示させる。表示項目の数が、第１閾値よりも大きい第２閾値以上の場合、表示制御部４２は、ＵＩ部３６に通常版操作画面５２を表示させる。表示項目の数が、第１閾値以上であり、かつ、第２閾値未満の場合、表示制御部４２は、簡易版操作画面５６よりも表示項目の数が多く、かつ、通常版操作画面５２よりも表示項目の数が少ない中間段階の操作画面を、ＵＩ部３６に表示させる。もちろん、４つ以上の段階で操作画面を切り替えてもよい。このような処理を行うことにより、端末装置１０Ａにおける画面中の表示項目の数により適合した操作画面が、画像形成装置１２Ａに表示される。
【０１２９】
通常版操作画面５２又は簡易版操作画面５６のいずれかを表示する場合においても、端末装置１０Ａにおいて文字サイズ、輝度、コントラスト、テキスト読み上げ機能、及び、接触操作の検出感度の中のいずれかが設定されている場合、その設定された内容を画像形成装置１２Ａに反映させる。
【０１３０】
別の具体例を挙げて説明すると、端末装置１０Ａにおいて文字サイズが「大」又は「中」に設定されている場合、表示制御部４２は、簡易版操作画面５６をＵＩ部３６に表示させ、端末装置１０Ａにおいて文字サイズが「小」に設定されている場合、表示制御部４２は、通常版操作画面５２をＵＩ部３６に表示させてもよい。もちろん、文字サイズに応じて、３つ以上の段階で、ＵＩ部３６に表示される操作画面を切り替えてもよい。例えば、文字サイズが「大」に設定されている場合、表示制御部４２は、簡易版操作画面５６をＵＩ部３６に表示させる。文字サイズが「小」に設定されている場合、表示制御部４２は、通常版操作画面５２をＵＩ部３６に表示させる。文字サイズが「中」に設定されている場合、表示制御部４２は、中間段階の操作画面をＵＩ部３６に表示させる。４つ以上の段階で操作画面を切り替える場合も同様である。
【０１３１】
第２実施形態においても、簡易版操作画面５６を表示する場合、各表示項目（例えばアイコン等のボタン画像）を、通常版操作画面５２よりも大きくして表示してもよい。
【０１３２】
［第３実施形態］
以下、本発明の第３実施形態に係る情報処理システムとしての画像形成システムについて説明する。第３実施形態に係る画像形成システムは、第１及び第２実施形態に係る画像形成システムの組み合わせである。つまり、第３実施形態に係る端末装置は、第１実施形態に係る端末装置１０の構成と第２実施形態に係る端末装置１０Ａの構成を有しており、第３実施形態に係る画像形成装置は、第１実施形態に係る画像形成装置１２と第２実施形態に係る画像形成装置１２の構成を有している。
【０１３３】
第３実施形態に係る端末装置は、ホームアプリ情報を取得するとともに補助設定情報６０を取得し、操作性種別情報と補助設定情報６０とを含む制御情報を、第３実施形態に係る画像形成装置に送信する。もちろん、端末装置は、機種識別情報２０を取得し、その機種識別情報２０を含む制御情報を画像形成装置に送信してもよい。
【０１３４】
第３実施形態に係る画像形成装置の表示制御部４２は、第１実施形態と同様に、制御情報に含まれる操作性識別情報又は機種識別情報２０に応じて、通常版操作画面５２又は簡易版操作画面５６をＵＩ部３６に表示させる。また、表示制御部４２は、第２実施形態と同様に、制御情報に含まれる補助設定情報６０が示す設定内容を、ＵＩ部３６に反映させる。例えば、操作性識別情報が簡易版操作画面５６を示しており、文字サイズとして「大」が設定されており、輝度及びコントラストとして「高」が設定されている場合、表示制御部４２は、簡易版操作画面５６をＵＩ部３６に表示させるとともに、簡易版操作画面５６に表示されている文字のサイズを「大」に設定し、簡易版操作画面５６の輝度及びコントラストを「高」に設定する。また、端末装置において読上げ機能がオンに設定されている場合、画像形成装置においても読上げ機能がオンに設定され、端末装置において接触操作の検出感度が設定されている場合、画像形成装置における検出感度が、端末装置における検出感度に設定される。
【０１３５】
第３実施形態においても、簡易版操作画面５６を表示する場合、各表示項目（例えばアイコン等のボタン画像）を、通常版操作画面５２よりも大きくして表示してもよい。
【０１３６】
上記の第１から第３実施形態において、情報処理装置は画像形成装置１２，１２Ａに限られず、家電、自動販売機、自動券売機又はデジタルサイネージ等のようにユーザインターフェース部（ＵＩ部）を有する装置が、第１から第３実施形態に係る情報処理装置であってもよい。この場合も、第１実施形態と同様に、端末装置１０にて使用されているホームアプリケーションに応じて、家電や自動販売機等の情報処理装置のＵＩ部に、簡易版操作画面又は通常版操作画面が表示される。また、端末装置１０における画面中の文字のサイズに応じて、家電や自動販売機等の情報処理装置のＵＩ部に表示されている文字のサイズが変更されてもよいし、端末装置１０における画面の輝度やコントラストに応じて、家電や自動販売機等の情報処理装置のＵＩ部に表示されている画面の輝度やコントラストが変更されてもよい。
【０１３７】
上記の端末装置１０，１０Ａ及び画像形成装置１２，１２Ａのそれぞれは、一例としてハードウェア資源とソフトウェアとの協働により実現される。具体的には、端末装置１０，１０Ａ及び画像形成装置１２，１２Ａのそれぞれは、図示しないＣＰＵ等の１又は複数のプロセッサを備えている。当該１又は複数のプロセッサが、図示しない記憶装置に記憶されたプログラムを読み出して実行することにより、端末装置１０，１０Ａ及び画像形成装置１２，１２Ａの各部の機能が実現される。上記プログラムは、ＣＤやＤＶＤ等の記録媒体を経由して、又は、ネットワーク等の通信経路を経由して、記憶装置に記憶される。別の例として、端末装置１０，１０Ａ及び画像形成装置１２，１２Ａのそれぞれの各部は、例えばプロセッサや電子回路等のハードウェア資源により実現されてもよい。その実現においてメモリ等のデバイスが利用されてもよい。別の例として、端末装置１０，１０Ａ及び画像形成装置１２，１２Ａのそれぞれの各部は、ＤＳＰ（Digital Signal Processor）やＦＰＧＡ（Field Programmable Gate Array）等によって実現されてもよい。
【符号の説明】
【０１３８】
１０，１０Ａ  端末装置、１２，１２Ａ  画像形成装置、１４，３０  通信部、１６，３６  ＵＩ部、１８，１８Ａ，３４  記憶部、２０  機種識別情報、２２  ホームアプリケーション、２４，２４Ａ，３８，３８Ａ  制御部、２６  情報取得部、２８  操作性種別識別部、３２  画像形成部、４０  制御情報取得部、４２  表示制御部、６０  補助設定情報、６２  補助設定情報取得部、６４  読上部。
【図１】
2018012280.tif 000003
【図２】
2018012280.tif 000004
【図３】
2018012280.tif 000005
【図４】
2018012280.tif 000006
【図５】
2018012280.tif 000007
【図６】
2018012280.tif 000008
【図７】
2018012280.tif 000009
【図８】
2018012280.tif 000010
【図９】
2018012280.tif 000011
【図１０】
2018012280.tif 000012
【図１１】
2018012280.tif 000013
【図１２】
2018012280.tif 000014
【図１３】
2018012280.tif 000015